(57)【要約】【課題】HD DVD-VR規格に適合したHD DVD-VRコンテンツをHD DVD-Video規格に適合したインターオペラブルコンテンツへ変換し記録するのに優れた情報記録装置を提供すること。【解決手段】HD DVD Video Recording(HD DVD-VR)規格で記録されたHD DVD-VRコンテンツをHD DVD-Video規格に適合したインターオペラブルコンテンツへ変換し記録する情報記録装置は、編集等で更新されたナビゲーションデータに基づきプレイリストファイル及びビデオタイトルセットインフォメーションファイルを生成し、これら前記プレイリストファイル及び前記ビデオタイトルセットインフォメーションファイル、さらに前記HD DVD-VRコンテンツに含まれるビデオオブジェクトを含むインターオペラブルコンテンツを生成する。【選択図】      図２
2007334966.tif 000002
【特許請求の範囲】
【請求項１】
HD DVD Video Recording(HD DVD-VR)規格に基づき記録されたHD DVD-VRコンテンツをHD DVD-Video規格に適合したインターオペラブルコンテンツへ変換し記録する情報記録装置であって、
前記HD DVD-VRコンテンツに含まれるナビゲーションデータを解析する解析手段と、
前記HD DVD-VRコンテンツの編集操作に応じて前記ナビゲーションデータを更新する更新手段と、
前記更新手段により更新された前記ナビゲーションデータに基づきプレイリストファイル及びビデオタイトルセットインフォメーションファイルを生成し、これら前記プレイリストファイル及び前記ビデオタイトルセットインフォメーションファイル、さらに前記HD DVD-VRコンテンツに含まれるビデオオブジェクトを含む前記インターオペラブルコンテンツを生成する生成手段と、
前記生成手段により生成された前記インターオペラブルコンテンツを所定の記録先へ記録する記録手段と、を備え、
前記HD DVD-VRコンテンツに含まれる前記ナビゲーションデータは、前記HD DVD-VRコンテンツに含まれる前記ビデオオブジェクトの再生をナビゲートし、
前記インターオペラブルコンテンツに含まれる前記プレイリストファイルは、前記インターオペラブルコンテンツに含まれる前記ビデオオブジェクトにより構成されるタイトル及びチャプターの構成を示し、
前記インターオペラブルコンテンツに含まれる前記ビデオタイトルセットインフォメーションは、前記インターオペラブルコンテンツに含まれる前記ビデオオブジェクトの属性を示す、
ことを特徴とする情報記録装置。
【請求項２】
前記更新手段は、前記ナビゲーションデータの更新に対応して前記インターオペラブルコンテンツを更新する必要があるか否かを判定し、
前記生成手段は、前記インターオペラブルコンテンツの更新判定結果に基づき前記インターオペラブルコンテンツを更新し、更新された前記インターオペラブルコンテンツを生成する、
ことを特徴とする請求項１に記載の情報記録装置。
【請求項３】
前記生成手段は、前記プレイリストファイル及び前記ビデオタイトルセットインフォメーションファイルのコンフィグレーションを示すコンフィグレーションファイルを生成し、
前記記録手段は、前記インターオペラブルコンテンツの記録時に、最後に前記コンフィグレーションファイルを記録することを特徴とする請求項１に記載の情報記録装置。
【請求項４】
前記記録手段は、前記所定の記録先に、予めコンフィグレーションファイルが記録されている場合に、この予め記録されたコンフィグレーションファイルを削除してから、前記インターオペラブルコンテンツの記録を開始し、最後に、前記生成手段により生成された前記コンフィグレーションファイルを記録することを特徴とする請求項１に記載の情報記録装置。
【請求項５】
所定の記録先からコンフィグレーションファイルを読み取る読取手段と、
前記読取手段により読み取られた前記コンフィグレーションファイルに基づき、前記所定の記録先からHD DVD Video規格に適合したインターオペラブルコンテンツを再生する再生手段と、
を備えたことを特徴とする情報再生装置。
【発明の詳細な説明】
【技術分野】
【０００１】
本発明は、次世代光ディスクであるHD DVDの規格に適合したデータを記録する情報記録装置に関する。また、本発明は、HD DVDの規格に適合したデータを再生する情報再生装置に関する。
【背景技術】
【０００２】
現行DVDには様々な規格があることが知られている。例えば、DVD Video Format（以下、DVD-Video規格）、及びDVD Video Recording Format（以下、DVD-VR規格）が知られている。
【０００３】
DVD-VR規格に基づき記録された映像情報は、DVD-Video規格のみに適合したプレイヤーでは再生できない。DVD-Video規格のみに適合したプレイヤーで、DVD-VR規格に基づき記録された映像情報の再生を可能にするには、予めデータ変換が必要となる。つまり、DVD-VR規格に基づき記録された映像情報をDVD-Video規格に基づく映像情報へ変換しておく必要がある。このようなDVD-VR規格に基づき記録された映像情報をDVD-Video規格に基づく映像情報へ変換する様々な提案がなされている（特許文献１参照）。
【特許文献１】特開２００３−１９９０４６
【発明の開示】
【発明が解決しようとする課題】
【０００４】
上記した現行DVD規格に対して、高精彩映像記録に対応した次世代光ディスクであるHD DVDの規格化が進められている。HD DVDの規格にも、HD DVD Video Format（以下、HD DVD-Video規格）、及びHD DVD Video Recording Format（以下、HD DVD-VR規格）が存在し、これら両規格間での互換性確保が課題となっている。
【０００５】
本発明の目的は、上記課題を解決するためになされたものであり、HD DVD-VR規格に適合したHD DVD-VRコンテンツをHD DVD-Video規格に適合したインターオペラブルコンテンツへ変換し記録するために優れた情報記録装置を提供することにある。また、本発明の目的は、インターオペラブルコンテンツを再生することが可能な情報再生装置を提供することにある。
【課題を解決するための手段】
【０００６】
この発明の情報記録装置及び情報再生装置は、以下のように構成されている。
【０００７】
（１）この発明の情報記録装置は、HD DVD Video Recording(HD DVD-VR)規格に基づき記録されたHD DVD-VRコンテンツをHD DVD-Video規格に適合したインターオペラブルコンテンツへ変換し記録する情報記録装置であって、前記HD DVD-VRコンテンツに含まれるナビゲーションデータを解析する解析手段と、前記HD DVD-VRコンテンツの編集操作に応じて前記ナビゲーションデータを更新する更新手段と、前記更新手段により更新された前記ナビゲーションデータに基づきプレイリストファイル及びビデオタイトルセットインフォメーションファイルを生成し、これら前記プレイリストファイル及び前記ビデオタイトルセットインフォメーションファイル、さらに前記HD DVD-VRコンテンツに含まれるビデオオブジェクトを含む前記インターオペラブルコンテンツを生成する生成手段と、前記生成手段により生成された前記インターオペラブルコンテンツを所定の記録先へ記録する記録手段と、を備え、前記HD DVD-VRコンテンツに含まれる前記ナビゲーションデータは、前記HD DVD-VRコンテンツに含まれる前記ビデオオブジェクトの再生をナビゲートし、前記インターオペラブルコンテンツに含まれる前記プレイリストファイルは、前記インターオペラブルコンテンツに含まれる前記ビデオオブジェクトにより構成されるタイトル及びチャプターの構成を示し、前記インターオペラブルコンテンツに含まれる前記ビデオタイトルセットインフォメーションは、前記インターオペラブルコンテンツに含まれる前記ビデオオブジェクトの属性を示す。
【０００８】
（２）この発明の情報再生装置は、所定の記録先からコンフィグレーションファイルを読み取る読取手段と、前記読取手段により読み取られた前記コンフィグレーションファイルに基づき、前記所定の記録先からHD DVD Video規格に適合したインターオペラブルコンテンツを再生する再生手段とを備えている。
【発明の効果】
【０００９】
本発明によれば、HD DVD-VR規格に適合したHD DVD-VRコンテンツをHD DVD-Video規格に適合したインターオペラブルコンテンツへ変換し記録するために優れた情報記録装置を提供できる。また、本発明によれば、インターオペラブルコンテンツを再生することが可能な情報再生装置を提供できる。
【発明を実施するための最良の形態】
【００１０】
以下、図面を参照し、本発明の実施形態について説明する。
【００１１】
HD DVDの規格には、HD DVD Video Format（以下、HD DVD-Video規格）、及びHD DVD Video Recording Format（以下、HD DVD-VR規格）が存在する。HD DVD-Videoプレイヤーは、HD DVD-VR規格で録画されたHD DVD-VRコンテンツをそのまま再生することができない。この問題を解決するために、HD DVD-VR規格に対応したHD DVD-VRレコーダは、HD DVD-VRコンテンツをHD DVD-Video規格に対応したInteroperable Content（インターオペラブルコンテンツ）へ変換し、Interoperable Contentを記録する機能を持つ事ができる。これにより、HD DVD-Video プレイヤーは、HD DVD-VRレコーダにより記録されたInteroperable Contentを再生することができる。
【００１２】
図１は、Interoperable Contentを記録するレコーダ（記録再生装置）の概略構成の一例を示す図である。図１に示すように、レコーダは、navigation data（ナビゲーションデータ）のデータベース部１、IFO解析部２、IFO作成部３、Interoperable Content作成部４、ディスクコントローラ５を備えている。
【００１３】
以下、図１に示すレコーダによるInteroperable Contentの作成について説明する。図６は、HD DVD-VRコンテンツとInteroperable Contentの関係を示す図である。図２は、Interoperable Contentの第１の作成例を示すフローチャートである。
【００１４】
図１に示すレコーダーは、HD DVD-VR規格で記録されたファイルの他にInteroperable Content用に、
・Configuration File（コンフィグレーションファイル）
・Playlist File（プレイリストファイル）
・Video Title Set Information(VTSI) File（ビデオタイトルセットインフォメーションファイル）
を最低限記録する。
【００１５】
Playlist Fileは、VOBs（ビデオオブジェクト）により構成されるタイトルやチャプターの構成等を示す情報である。VTSI Fileは、VOBsの属性等を示す情報である。
【００１６】
レコーダに対してHD DVD-VR規格のディスクが挿入されると、レコーダーのディスクコントローラ５により挿入されたディスクに対するデータの読み書きが開始される。その結果、IFO解析部２は、ディスク上に記録されているnavigation dataであるHR_MANGR.IFO（以下IFOファイル）を解析する。navigation dataは、HD DVD-VRコンテンツに含まれるVOBs（ビデオオブジェクト）及びSOBs（ストリームオブジェクト）の再生をナビゲートする。navigation dataの解析結果は、navigation dataのデータベース１に蓄積される。
【００１７】
以後ユーザー操作により録画や編集がディスクに対して行われると、これに応じてnavigation dataのデータベース１は、navigation dataのデータベースを更新し（ＳＴ１１）、続いて更新されたnavigation dataのデータベースの情報を基にIFO作成部３がIFOファイルを作成し（ＳＴ１２）、ディスクコントローラ５が、作成されたIFOファイルをディスクに記録する。
【００１８】
次に更新されたnavigation dataのデータベースを基に、Interoperable Content作成部４がInteroperable Content用のファイル（Configuration File、Playlist File、Video Title Set Information File）を作成し（ＳＴ１３）、ディスクコントローラ５が作成されたファイルをディスクに記録する。なお、HD DVD-VRコンテンツに含まれるTime Map（タイムマップ）、VOBs（ビデオオブジェクト）は、変換されることなく、Interoperable ContentではそれぞれTime Map（タイムマップ）、P-EVOBs（プライマリーエンハンスドビデオオブジェクト）として扱われる。以上により、Interoperable Contentは、Configuration File、Playlist File、Video Title Set Information Fileに加えて、Time Map、P-EVOBsを含む。
【００１９】
このような手順でファイルが記録されると、IFOファイルとInteroperable Content用のファイルの間で情報の相違が発生しない。
【００２０】
ここで、Interoperable Contentを更新する必要があるか否かの判定の具体例について、以下の（１）〜（３）で説明する。
【００２１】
（１）レコーダは、ユーザーからの再生指示に対応して、HD-VR規格のディスクのタイトルを再生し、ユーザーからの停止指示に対応して、再生を途中で停止をする。このとき、レコーダは、次回の再生時にこの停止した位置から再生が出来るようにレジューム位置をnavigation dataに記録する。これはIFOファイルにおいては、ディスク全体のレジューム位置としてHDVR_MGI/VMGI_MAT/DISC_RSM_MRKI、プレイリストタイトルのレジューム位置としてHDVR_MGI/PL_SRPT/PL_SRP/PL_RSM_MRKI、オリジナルタイトルのレジューム位置としてPGCI/PGI/PG_RSM_MRKIに記録される。IFOファイルにおいて、これら情報のみが更新されたような場合、Interoperable Content用のファイルにはこれら情報に対応する項目がない。よって、このような場合には、Interoperable Contentを更新する必要はない。
【００２２】
（２）レコーダは、ユーザーからのディスクやタイトルを識別するためのサムネイル画像の設定指示に対応して、ディスク上にサムネイル画像を設定する。ディスク上の映像データのある１フレームがサムネイル指定されると、この１フレームがサムネイル画像として設定される。具体的には、この映像データの位置がnavigation dataに記憶される。IFOファイルでは、この映像データの位置が、ディスク全体のサムネイル位置としてHDVR_MGI/VMGI_MAT/DISC_REP_PICTI、プレイリストタイトルのサムネイル位置としてHDVR_MGI/PL_SRPT/PL_SRP/PL_REP_PICTI、オリジナルタイトルのレジューム位置としてPGCI_PGI/PG_REP_PICTIに記録される。これら情報のみが更新されたような場合、Interoperable Content用のファイルにはこれら情報に対応する項目がない。よって、このような場合には、Interoperable Contentを更新する必要はない。
【００２３】
（３）あるタイトルがStream Cellからのみ構成されていると仮定する。例えば、ユーザーのチャプター作成操作に対応して、このタイトルに対して新たにチャプターが作成されたとする。この場合、STRA_CI/STRA_C_GI/C_EPI_Nsの値が変化したり、新たにSTRA_CI/STRA_C_EPIが追加されたりする。しかし、Interoperable Contentでは、Stream Cellは再生の対象外である。したがってこれらの情報のみが更新されたような場合、Interoperable Content用のファイルには対応するこれら情報の項目がない。よって、このような場合には、Interoperable Contentを更新する必要はない。
【００２４】
さらに、図１に示すレコーダによるInteroperable Contentの作成について説明する。図３は、Interoperable Contentの第２の作成例を示すフローチャートである。
【００２５】
ユーザー操作により録画や編集がディスクに対して行われると、まずnavigation dataのデータベースが更新され（ＳＴ２１）、続いて更新されたnavigation dataのデータベースの情報を基にIFO作成部３がIFOファイルを作成し（ＳＴ２２）、ディスクコントローラ５が作成されたIFOファイルをディスクに記録する。さらに、navigation dataのデータベースの更新がInteroperable Contentに影響するかどうかを判定し（ＳＴ２３）、navigation dataのデータベースの更新がInteroperable Contentに影響しない場合には（ＳＴ２３、ＮＯ）、Interoperable Content用のファイルを作成しない。navigation dataのデータベースの更新がInteroperable Contentに影響する場合には（ＳＴ２３、ＹＥＳ）、Interoperable Content用のファイルを作成し（ＳＴ２４）、ディスクコントローラ５が作成されたファイルをディスクに記録する。なお、HD DVD-VRコンテンツに含まれるTime Map（タイムマップ）、VOBs（ビデオオブジェクト）は、変換されることなく、Interoperable ContentではそれぞれTime Map（タイムマップ）、P-EVOBs（プライマリーエンハンスドビデオオブジェクト）として扱われる。以上により、Interoperable Contentは、Configuration File、Playlist File、Video Title Set Information Fileに加えて、Time Map、P-EVOBsを含む。
【００２６】
navigation dataのデータベースでは種々の情報が蓄積されており、例えばレコーダーのGUI（graphical user interface）機能によりタイトルを表示する場合のサムネイル画像がタイトル中のどの部分のデータから作成されるかを示す情報を蓄積している。このような情報はIFOファイルには記録する必要があるが、Interoperable Content用ファイルでは必ずしも必要としない。
【００２７】
navigation dataのデータベースが更新される時、このような情報のみが更新されるかどうかを判定し、Interoperable Content用のファイルの作成が必要でない場合にはファイルを作成しない。
【００２８】
このような手順により、ディスクへの不要な書き込みを防ぐ事が出来、ディスク内の記録領域の節約となる。
【００２９】
次にInteroperable Content用のファイルの作成手順について示す。図４は、Interoperable Content用のファイルの作成手順の一例を示すフローチャートである。
【００３０】
Interoperable Content用ファイルが既にディスクに書き込まれている場合、Configuration Fileがディスク上に存在する。まずこのConfiguration Fileがディスク上に存在するかどうかを判定し（ＳＴ３１）、Configuration Fileがディスク上に存在する場合には（ＳＴ３１、ＹＥＳ）、Configuration Fileを削除する（ＳＴ３２）。
【００３１】
次にConfiguration File以外のInteroperable Content用ファイルをディスクに書き込み（ＳＴ３３）、最後にConfiguration Fileをディスクに書き込む（ＳＴ３４）。
【００３２】
このような手順にする事により作成途中に停電等の理由で作成が停止した場合においても、作成されたディスクがInteroperable Contentとして不整合のあるディスクとなる事はない。
【００３３】
その理由を以下に示す。HD DVD-Video規格のディスクを再生するプレイヤーはディスク内に記録されているコンテンツが何であるのかを判別する為に、図５に示すように、まずディスク上に記録されているConfiguration File（=DISCID.DAT）を参照する。このConfiguration Fileが存在する時には記録されているコンテンツがAdvanced ContentまたはInteroperable Contentと判別され、存在しない場合にはそれ以外のコンテンツと判別される。
【００３４】
Interoperable Content用ファイルを作成する時に、最初にディスク上からConfiguration Fileを削除しないと仮定する。この場合に、Interoperable Content用ファイルの作成途中で停電等で作成が中断すると、そのディスクにはConfiguration Fileが残ってしまう。つまり、このようなディスクがプレイヤーに挿入されると、このようなディスクにはConfiguration Fileが存在し、このConfiguration Fileの存在により、このディスクに記録されているコンテンツは、Advanced Conetnt又はInteroperable Contentと判別されてしまい、続いて関連するファイルが参照されてしまう。しかし、ディスク内にはInteroperable Content用ファイルの作成前の古いファイルと作成後の新しいファイルが混在していたり、作成途中のファイルが存在していたりする可能性がある。このようなファイルを参照した時、プレイヤーはエラーを発生させたり、不整合な状態に陥る可能性がある。
【００３５】
一方、Interoperable Conetnt用ファイルを作成する時に、最初にディスク上からConfiguration Fileを削除してしまえば、作成途中で停電等でファイル作成が中断しても、そのディスクにはConfiguration Fileは存在しないことになる。つまり、このようなディスクがプレイヤーに挿入されても、このようなディスクにはConfiguration Fileが存在しない。よって、このようなディスクに記録されているコンテンツが、Interoperable Conetntとして判別されることはない。よって、不整合のあるファイルが参照されることもない。
【００３６】
作成されたInteroperable Contentがディスクに書き込まれた後に、最後に、作成されたConfiguration Fileをディスクに書き込むのも、上記と同じ理由からである。
【００３７】
以上により、Interoperable Contentを作成する際、HD DVD-VR規格のnavigation dataと不整合無く、又Interoperable Content内においても不整合なくファイルを作成する事が可能となる。
【００３８】
以下に、本実施形態のポイントをまとめる。
【００３９】
（１）HD DVDメディアに対してHD DVD-VR規格で記録する録画再生装置は、HD DVD-VR規格で規定されるnavigation dataとInteroperable Contentを作成する機能を有する。さらに、この録画再生装置は、Interoperable Contentを作成又は更新する際、直前に作成又は更新された最新のnavigation dataに基づき、Interoperable Contentを作成又は更新する。
【００４０】
（２）上記に加えて、録画再生装置は、navigation dataを更新する際に、Interoperable Contentを更新する必要があるかを判定する判定機能を有する。即ち、録画再生装置は、Interoperable Contentを更新する必要がある場合のみ、Interoperable Contentを更新する。
【００４１】
（３）上記に加えて、録画再生装置は、全てのファイル書き込みの後、最後に、Configuration Fileを作成する。
【００４２】
（４）上記に加えて、録画再生装置は、メディア上にConfiguration Fileが存在するかを判定する判定機能を有する。Interoperable Contentの作成又は更新の前に、メディア上にConfiguration Fileが存在するかを判定し、Configuration Fileが存在する場合にはこのConfiguration Fileを削除しておく。
【００４３】
以下に、Interoperable Contentについてさらに説明を加える。
【００４４】
Interoperable Contentは、HD DVD-Videoプレイヤーによってディスク上のHD DVD-VRコンテンツの再生を可能にするために定義されている。
【００４５】
Interoperable Contentは、ビデオオブジェクトと関係するいくつかの定義を除いてはHD DVD-Video規格に定義されたAdvanced Content（アドバンストコンテンツ）のサブセットである。
【００４６】
ビデオオブジェクトと関係するいくつかのパラメーターあるいは機能は、HD DVD-Video規格中のAdvanced Contentのビデオオブジェクト中でサポートされていない。しかしながら、HD DVD-Video プレイヤーがInteroperable Contentを再生する性能を有していれば、パラメーターまたは機能がHD DVD-Video プレイヤーによってサポートされる。従って、HD DVD-VR コンテンツ用のビデオオブジェクトは、変換されることなくInteroperable Contentのビデオオブジェクトとして普通に使用される。
【００４７】
Interoperable ContentのNavigation Dataは、HD DVD-Video規格中のAdvanced ContentのNavigation Dataのサブセットである。従って、HD DVD-VR コンテンツのNavigation DataはInteroperable ContentのNavigation Dataに変換される。Interoperable Content用にサポートされたNavigation Dataは、HD DVD-Video規格のAdvanced Contentの規定に準拠していれば、特に制限はない。
【００４８】
Navigation Dataを変換する方法の一例は下記の通りである。
【００４９】
Interoperable Contentの生成は、レコーダのオプション機能である。レコーダがInteroperable Contentの生成をサポートする場合、変換ルールが適用される。
【００５０】
HD DVD-VR コンテンツからInteroperable Contentへの変換の基本コンセプトについて説明する。Interoperable Contentは、いくつかの違いを除いて、大部分はAdvanced Contentのサブセットである。Interoperable Contentは少なくとも、１つのPlay list、１つのPrimary Video Set (Interoperable VTSと呼ばれる)および１つのConfiguration Fileを含む。Primary Video Set (すなわちInteroperable VTS) は、さらに、Video Title Set Information (VTSI)、Video Title Set Time Map Information (VTS_TMAP)、及び Primary Enhanced Video Objects (P-EVOBs)を含む。
【００５１】
さらに、Interoperable Contentは、Advanced Contentで定義されるSecondary Video Set、 Advanced Application、及びAdvanced Subtitleを含んでも良い。
【００５２】
Interoperable Contentとして再生されるために、Play list、VTSI、VTS_TMAP、P-EVOBおよびConfiguration Fileが、ディスクに存在する必要がある。VTS_TMAPは、HD DVD-VR規格で定義されたVTMAPTと同等である。また、P-EVOBはHD DVD-VR規格で定義されたVOBと同等である。従って、HD DVD-Video プレイヤーは、変換処理を必要とせずに、HD DVD-VR規格に定義されたTime Mapファイル及び VOBファイルを利用することができる。従って、HD DVD-Video プレイヤーによってInteroperable Contentとして再生されるために、一つのVTSI file、一つの Play list file、及び一つの Configuration Fileを、さらに作成する必要がある。
【００５３】
図６は、変換処理及びHD DVD-VRコンテンツとInteroperable Contentの関係の基本コンセプトを示す。VTSIは、主として、HR_MANGR.IFOファイル中のM_AVFIT(特にM_VOB_STIsおよびM_VOBIs)の情報に基づいて作成される。Play listは、主として、HR_MANGR.IFOファイル中のPGC情報(つまりORG_PGCIとUD_PGCIs)の情報に基づいて作成される。Configuration Fileの内容は、Interoperable Contentの場合には固定される。Stream Object （ストリームオブジェクト）ファイル及びStream Objectファイルと関連するナビゲーションファイルは、Interoperable Contentに含まれない。
【００５４】
ディレクトリーとファイルに関するルールについて説明する。
【００５５】
Interoperable Contentが作成される場合、次の規則が適用される。
【００５６】
・Play list fileは、ルート・ディレクトリー直下存在する「ADV_OBJ」ディレクトリーの元に配置される。
【００５７】
・Play listのファイル名は、Interoperable Content用に「VPLST000.XPL」として決定されている。
【００５８】
・Time Map files 及び VOB fileと同様に、VTSI fileも、「DVD HDVR/HDVR_VOB」ディレクトリーの元に配置される。
【００５９】
・VTSIのファイル名は、Interoperable Content用に「HR_IVTSI.VTI」として決定されている。
【００６０】
・HD DVD-VR規格で定義されるように、Time Map files及びVOB fileのファイル名は、それぞれ「HR_Vmmmm.MAP」(mmmm:0001-1998)および「HR_MOVIE.VRO」である。
【００６１】
・Configuration Fileは、ルート・ディレクトリー直下存在する「ADV_OBJ」ディレクトリーの下に、配置される。
【００６２】
・Configuration Fileのファイル名は、HD DVD-Video規格の中で、「DISClD.DAT」として決定されている。
【００６３】
・VTSI (HR_IVTSI.VTI)、Play list (VPLST000.XPL)、又はConfiguration File (DISCID.DAT)の少なくとも1つがディスクに存在する場合、それらすべてはディスクに存在し、それらすべては互いに一致している。さらに、それらはTime Map files (HR_Vmmmm.MAP)及びVOB file (HR_MOVIE.VRO)と一致している。HD DVD-VRコンテンツが更新され、対応するVTSI又はPlay listが影響する場合、VTSIとPlay listを更新することができないレコーダは、VTSI、Play listおよびConfiguration Fileを削除する。その場合、「ADV_OBJ」ディレクトリーは削除してもしなくても良い。
【００６４】
VTSIの生成の詳細について説明する。
【００６５】
Interoperable Contentが作成される場合、一つのVTSIファイル「HR_IVTSI.VTI」が生成される。図７、図８、図９は、Interoperable Content用のVTSIのデータフィールドの中で満たされる値の概要を示す。なお、図７〜図９は、一連の図である。
【００６６】
VTS_EVOB_ATRの中の情報は、対応するM_VOB_STIから主としてコピーされるか引き出される。VTS_EVOBIの中の情報は、対応するM_VOBIから主としてコピーされるか引き出される。
【００６７】
次に、Play listの生成の詳細について説明する。
【００６８】
Interoperable Contentが作成される場合、一つのPlay list file「VPLST000.XPL」が生成される。
【００６９】
Play listの生成を説明するために、HD DVD-VR contentのシンプルな例を想定する。図１０は、HD DVD-VR コンテンツ がInteroperable Contentに変換されるのを示す。
【００７０】
図１４及び図１５は、図１０の中で示されるHD DVD-VR コンテンツから生成されたPlay listの一例を示す。
【００７１】
Interoperable Content用のPlay listは、フレキシビリティな記述が可能である。上記に記述されたPlay listは一例を示し、次の仮定に基づいて生成される。
【００７２】
・一つの「タイトル」は、HD DVD-VR規格のProgram (PG)あるいはPlay list(PL)に相当する。
【００７３】
・1つの「チャプター」は、HD DVD-VR規格のEntry Point (M_C_EPI)に相当する。PGまたはPLの先頭に初めにEntry Pointが無い場合でも、チャプターがタイトルの先頭に常に存在する。
【００７４】
・Playlist中の「ディスプレイ名」は、HD DVD-VR規格のDisc Representative Name (DISC_REP_NM)に相当する。
【００７５】
・タイトル中の「ディスプレイ名」は、HD DVD-VR規格のPGあるいはPLのプライマリーテキスト情報(PRM_TXTI)に相当する。
【００７６】
・チャプター中の「ディスプレイ名」は、HD DVD-VR規格のEntry Point (Type EP-B)のプライマリーテキスト情報(PRM_TXTI)に相当する。
【００７７】
・タイトル中の「タイトル時間」は、HD DVD-VR規格のC_V_S_PTMおよびC_V_E_PTMから得られる。
【００７８】
・プライマリーオーディオビデオクリップ中の「titleTimeBegin」及び「titleTimeEnd」は、HD DVD-VR規格のC_V_S_PTMおよびVOB_V_S_PTMから得られる。
【００７９】
・プライマリーオーディオビデオクリップ中の「clipTimeBegin」は、HD DVD-VR規格のC_V_S_PTMおよびVOB_V_S_PTMから得られる。
【００８０】
・チャプター中の「titleTimeBegin」は、HD DVD-VR規格のEP_PTM C_V_S_PTMおよびC_V_E_PTMsから得られる。
【００８１】
・すべてのタイトルの再生を可能にするために、タイトル(最後のタイトルを除く)の属性「onEnd」は、次のタイトルを指定する。
【００８２】
次に、Configuration Fileの生成の詳細について説明する。
【００８３】
Interoperable Contentが作成される場合、１つのConfiguration File(「DISCID.DAT」)が生成される。図１１は、Interoperable Content用のConfiguration Fileのデータフィールドの中で満たされる値の概要を示す。
【００８４】
次に、Interoperable Contentの生成における注意点について説明する。
【００８５】
SOB(及びSOBに関するNavigation Data)は、Interoperable Contentの範囲外であるために、Interoperable Contentへの変換処理から、STRA_CI及びSTRB_CIのようなデータ構造は除外される必要がある。その結果、タイトルの合計数は、例えば、HD DVD-VRコンテンツのすべてのプログラム(PG)およびPlay list(PL)の総和未満となることがある。
【００８６】
一時的に消去された状態のM_VOBは、Interoperable Contentに含まれていないことがある。その場合、P-EVOBの合計数は、M_VOBの合計数未満となることがある。
【００８７】
上記の説明において、Interoperable Contentの Navigation Dataは、HD DVD-VRのnavigation dataから「変換」により生成されることが仮定されている。しかし、実際の実装方法は変換処理に制限されるものではない。いくつかの実装方法では、ディスクがレコーダから取り出される前に、VTSI、Play listおよびConfiguration Fileが、生成されてもよい。あるいは、他の実装方法では、HD DVD-VRコンテンツがレコーダによって修正される場合は、VTSI、Play listおよびConfiguration Fileは更新されてもよい。
【００８８】
以下に、コンテンツに関して説明を加える。
【００８９】
次に示すように、２つのタイプのコンテンツを定義する。１つはStandard Content（スタンダードコンテンツ）で、他方はAdvanced Content（アドバンスドコンテンツ）である。
【００９０】
Standard Contentはディスク上のNavigation data（ナビゲーションデータ）とビデオオブジェクトのデータから成る。Advanced Contentは、Play list file（プレイリストファイル）、Manifest file（マニフェストファイル）、Markup file（マークアップファイル）およびScript file（スクリプトファイル）のようなAdvanced Navigation（アドバンスドナビゲーション）、およびPrimary Video Set（プライマリービデオセット）/ Secondary Video Set（セカンダリービデオセット）およびAdvanced Element (イメージ、オーディオ、テキストなど)のようなAdvanced Data（アドバンスドデータ）から成る。少なくとも１つのPlay list fileおよびPrimary Video Setは、Advanced Contentがあるディスクに置かれる。また、他のデータはディスク上にあり、さらに、サーバーから転送することができる。図１２に示されるように、Standard Contentは、基本的に１つのVMGスペースおよび１つ以上のVTSスペースから成る。
【００９１】
Advanced Contentは、Standard Contentによって実現されたオーディオとビデオを拡張することにより、更なるインタラクティブ性を実現する。Advanced Contentは以下により構成される。
【００９２】
・ Play list
・ Primary Video Set
・ Secondary Video Set
・ Advanced Application
・ Advanced Subtitle
Play listは、図１３に記述されるようなpresentation objects（プレゼンテーションオブジェクツ）中のplayback information（プレイバックインフォーメーション）を提供する。例えば、Primary Video Setの再生のために、プレイヤーはPlay list に記述されたURIを使ってTMAP fileを読み取り、TMAPを参照してEVOBIを解釈し、EVOBIで定義された適当なP-EVOBへアクセスする。
【００９３】
Play list fileはXMLにより記述され、一つ以上のPlay list fileがディスク上に配置される。プレイヤーは、Play list fileを最初に解釈し、Advanced Contentを再生する。Play list fileは、以下の情報から成る。
【００９４】
・Object Mapping Information
・Track Number Assignment Information
・Track Navigation Information
・Resource Information
・Playback Sequence Information
・System Configuration Information
・Scheduled Control Information
Advanced Applicationは、一つのManifest file、Markup file(コンテンツ/スタイル/タイミング/レイアウトインフォメーションを含む)、Script file、Image file、Effect Audio file、Font file、その他のファイルから成る。
【００９５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００９６】
【図１】図１は、Interoperable Contentを記録するレコーダ（記録再生装置）の概略構成の一例を示す図である。
【図２】図２は、Interoperable Contentの第１の作成例を示すフローチャートである。
【図３】図３は、Interoperable Contentの第２の作成例を示すフローチャートである。
【図４】図４は、Interoperable Content用のファイルの作成手順の一例を示すフローチャートである。
【図５】図５は、HD DVD-Videoプレイヤーによるスタートアップシーケンスの一例を示すフローチャートである。
【図６】図６は、HD DVD-VRコンテンツとInteroperable Contentの関係を示す図である。
【図７】図７は、Interoperable Content用のVTSIのデータフィールドの中で満たされる値の概要を示す第１図である。
【図８】図８は、Interoperable Content用のVTSIのデータフィールドの中で満たされる値の概要を示す第２図である。
【図９】図９は、Interoperable Content用のVTSIのデータフィールドの中で満たされる値の概要を示す第３図である。
【図１０】図１０は、HD DVD-VR content がInteroperable Contentに変換されるのを示す図である。
【図１１】図１１は、Interoperable Content用のConfiguration Fileのデータフィールドの中で満たされる値の概要を示す図である。
【図１２】図１２は、Standard Content構成の一例を示す図である。
【図１３】図１３は、Advanced Content構成の一例を示す図である。
【図１４】図１４は、HD DVD-VR コンテンツから生成されたPlay listの一例を示す図である。
【図１５】図１５は、HD DVD-VR コンテンツから生成されたPlay list（図１４の続き）の一例を示す図である。
【符号の説明】
【００９７】
１…navigation dataのデータベース部、２…IFO解析部、３…IFO作成部、４…Interoperable Content作成部、５…ディスクコントローラ
【図１】
2007334966.tif 000003
【図２】
2007334966.tif 000004
【図３】
2007334966.tif 000005
【図４】
2007334966.tif 000006
【図５】
2007334966.tif 000007
【図６】
2007334966.tif 000008
【図７】
2007334966.tif 000009
【図８】
2007334966.tif 000010
【図９】
2007334966.tif 000011
【図１０】
2007334966.tif 000012
【図１１】
2007334966.tif 000013
【図１２】
2007334966.tif 000014
【図１３】
2007334966.tif 000015
【図１４】
2007334966.tif 000016
【図１５】
2007334966.tif 000017